(57)【要約】【課題】  本発明は光アダプタ取付金具に係り、光ファイバーケーブルのフォーミングがスムーズになるように調整可能な光アダプタ取付金具を提供することを目的とする。【解決手段】  機器のケーシングに固定される支持金具と、支持金具に移動，回転可能に懸吊，固定される移動金具とで構成され、支持金具は、ケーシングに固定される基台と、基台に立設された支柱と、ケーシングに沿って支柱に支持され一方向にスリットが設けられた平板状の支持片とからなり、移動金具は、スリットを挿通するネジ部材が取り付き、支持片に当接する懸吊片と、光アダプタ支持片と、光アダプタ支持片からスリットに沿って二方向に設けられ、光アダプタ支持片に対向して先端に設けたケーブル支持片にケーブル挿通スリットが設けられたアーム片とからなり、支持片のスリットを挿通するネジ部材が移動金具の中心に取り付き、ネジ部材を介して移動金具が支持片に回転可能且つスリットに沿って移動可能に懸吊，固定されている。【選択図】    図２
2009042368.tif 000002
【特許請求の範囲】
【請求項１】
電子機器のケーシングに固定される支持金具と、該支持金具に移動，回転可能に懸吊，固定される移動金具とで構成され、
前記支持金具は、前記ケーシングに固定される基台と、該基台に立設された支柱と、前記ケーシングに沿って支柱に支持され、一方向にスリットが設けられた平板状の支持片とからなり、
前記移動金具は、前記スリットを挿通するネジ部材が取り付き、前記支持片の裏面側に当接する懸吊片と、光アダプタが取り付く光アダプタ支持片と、該光アダプタ支持片から前記スリットに沿って二方向に設けられ、前記光アダプタ支持片に対向して先端に設けたケーブル支持片にケーブル挿通スリットが設けられたアーム片とからなり、
前記支持片のスリットを挿通するネジ部材が移動金具の中心に取り付き、該ネジ部材を介して移動金具が、前記支持片に回転可能且つスリットに沿って移動可能に懸吊，固定されることを特徴とする光アダプタ取付金具。
【請求項２】
前記懸吊片に、前記ネジ部材の締め付けに伴い、前記支持片に圧接，係止する係止爪が設けられていることを特徴とする請求項１に記載の光アダプタ取付金具。
【請求項３】
前記支持片のスリットの端部に、前記ネジ部材の頭部よりも大径なネジ部材挿通孔が設けられていることを特徴とする請求項１または請求項２に記載の光アダプタ取付金具。
【請求項４】
前記支持片のスリットの端部側は、平面視Ｌ字状に形成されていることを特徴とする請求項３に記載の光アダプタ取付金具。
【請求項５】
前記ケーブル挿通スリットは、斜め方向に設けられたケーブル挿入部と、該ケーブル挿入部と連通して横方向に設けられたケーブル移動部とからなることを特徴とする請求項１に記載の光アダプタ取付金具。
【請求項６】
前記支持金具と移動金具は、夫々、一枚の鋼板を裁断，折曲して形成され、移動金具の光アダプタ支持片は、平面視矩形状に形成した前記懸吊片の一端側を該懸吊片との間に若干の間隙を空けて断面コ字状に折曲し、懸吊片の中心線上を更に下方へ直角に折曲して断面Ｌ字状に形成され、下方へ直角に折曲したその角部に、懸吊片の中央に螺着するネジ部材を避けて切欠き孔が設けられていることを特徴とする請求項１乃至請求項５のいずれか１項に記載の光アダプタ取付金具。
【請求項７】
前記支持金具の支柱は、前記支持片の長さ寸法よりも幅狭な断面Ｌ字状に形成されていることを特徴とする請求項１乃至請求項６のいずれか１項に記載の光アダプタ取付金具。
【発明の詳細な説明】
【技術分野】
【０００１】
本発明は光アダプタ取付金具に係り、詳しくは光ファイバーケーブルのフォーミングをスムーズにできる光アダプタ取付金具に関する。
【背景技術】
【０００２】
昨今、通信機器は光ファイバーケーブルを使用して信号の送受信を行っているが、通信機器に使用する光ファイバーケーブルは光コネクタの種類が多く、外線の光ファイバーケーブルを直接通信機器の光ファイバーケーブルに接続できないのが実情である。
【０００３】
そこで、通信機器側の光ファイバーケーブルと外線の光ファイバーケーブルを接続するため、図５及び図６に示すように通信装置１のケーシング３上に光アダプタ取付金具５を用いて中継用の光アダプタ７を取り付け、この光アダプタ７に、通信装置１側の光ファイバーケーブル９の光コネクタ１１と図示しない外線側の光ファイバーケーブルのコネクタを接続している。
【０００４】
前記光アダプタ取付金具５は断面Ｌ字状に形成され、その一片１３がケーシング３にネジ止めされている。そして、光アダプタ７の形状に沿って他片１５側に設けた光アダプタ取付孔１７に光アダプタ７が挿通し、該光アダプタ７に設けた固定フランジ１９が前記他片１５にネジ止めされて光アダプタ７がケーシング３上に固定されている。
【０００５】
そして、ケーシング３内で余長処理を行った光ファイバーケーブル９を、ケーシング３の上部に設けたケーブル挿通孔２１から引き出してその先端の光コネクタ１１を前記光アダプタ７の一方に接続すると共に、外線側の光ファイバーケーブルのコネクタを光アダプタ７の他方側に接続して、光ファイバーケーブル９等をフォーミングしている。
【０００６】
尚、特許文献１には、光コネクタを用いた交換機のファイバー収容エリアを減らして実装効率を向上させ、架の正面側に光コネクタを実装し、電子回路パッケージの交換を行い易くするため、光コネクタを取り付けた光アダプタを移動手段に接続して移動自在にした光アダプタ実装構造が開示されている。
【特許文献１】特開２００２−９０５８１号公報
【発明の開示】
【発明が解決しようとする課題】
【０００７】
図５及び図６で説明したように、従来、通信装置１側の光ファイバーケーブル９と外線側の光ファイバーケーブルを接続する場合、ケーシング３上に光アダプタ７を装着し、該光アダプタ７に、双方の光ファイバーケーブルを夫々接続して、光ファイバーケーブル９等をフォーミングしている。
【０００８】
しかし、前記光アダプタ７が光アダプタ取付金具５を介してケーシング３上の一箇所に固定されているため、光ファイバーケーブル９をフォーミングした場合、図７の二点鎖線で示すように光ファイバーケーブル９の公差で光ファイバーケーブル９が実線の理想ルートより膨らみ、コネクタ１１の根本部分の光ファイバーケーブル９にストレスがかかって伝送特性を悪くしてしまう一因となっていた。
【０００９】
また、特許文献１に開示された従来例は、移動手段を介して光アダプタを移動自在にしたものの、自由な角度での光アダプタの回転，固定を目的としていないため、図５の光アダプタ取付金具５に代えて特許文献１の従来構造を適用しても、光ファイバーケーブルが実線の理想ルートより膨らんでしまう不具合を解消することができないのが実情である。
【００１０】
更に、この特許文献１の従来構造は、移動手段の金具を固定，回転させるためにバネ等を用いた複雑な構造となっている。
【００１１】
本発明は斯かる実情に鑑み案出されたもので、光ファイバーケーブルの公差に拘わらず、簡単な構造で、光ファイバーケーブルのフォーミングがスムーズになるように調整可能な光アダプタ取付金具を提供することを目的とする。
【課題を解決するための手段】
【００１２】
斯かる目的を達成するため、請求項１に係る光アダプタ取付金具は、電子機器のケーシングに固定される支持金具と、該支持金具に移動，回転可能に懸吊，固定される移動金具とで構成され、前記支持金具は、前記ケーシングに固定される基台と、該基台に立設された支柱と、前記ケーシングに沿って支柱に支持され、一方向にスリットが設けられた平板状の支持片とからなり、前記移動金具は、前記スリットを挿通するネジ部材が取り付き、前記支持片の裏面側に当接する懸吊片と、光アダプタが取り付く光アダプタ支持片と、該光アダプタ支持片から前記スリットに沿って二方向に設けられ、前記光アダプタ支持片に対向して先端に設けたケーブル支持片にケーブル挿通スリットが設けられたアーム片とからなり、前記支持片のスリットを挿通するネジ部材が移動金具の中心に取り付き、該ネジ部材を介して移動金具が、前記支持片に回転可能且つスリットに沿って移動可能に懸吊，固定されることを特徴とする。
【００１３】
また、請求項２に係る発明は、請求項１に記載の光アダプタ取付金具に於て、前記懸吊片に、前記ネジ部材の締め付けに伴い、前記支持片に圧接，係止する係止爪が設けられていることを特徴とする。
【００１４】
そして、請求項３に係る発明は、請求項１または請求項２に記載の光アダプタ取付金具に於て、前記支持片のスリットの端部に、前記ネジ部材の頭部よりも大径なネジ挿通孔が設けられていることを特徴とし、請求項４に係る発明は、請求項３に記載の光アダプタ取付金具に於て、前記支持片のスリットの端部側は、平面視Ｌ字状に形成されていることを特徴とする。
【００１５】
更に、請求項５に係る発明は、請求項１に記載の光アダプタ取付金具に於て、前記ケーブル挿通スリットは、斜め方向に設けられたケーブル挿入部と、該ケーブル挿入部と連通して横方向に設けられたケーブル移動部とからなることを特徴としている。
【００１６】
更にまた、請求項６に係る発明は、請求項１乃至請求項５のいずれか１項に記載の光アダプタ取付金具に於て、前記支持金具と移動金具は、夫々、一枚の鋼板を裁断，折曲して形成され、移動金具の光アダプタ支持片は、平面視矩形状に形成した前記懸吊片の一端側を該懸吊片との間に若干の間隙を空けて断面コ字状に折曲し、懸吊片の中心線上を更に下方へ直角に折曲して断面Ｌ字状に形成され、下方へ直角に折曲したその角部に、懸吊片の中央に螺着するネジ部材を避けて切欠き孔が設けられていることを特徴とする。
【００１７】
そして、請求項７に係る発明は、請求項１乃至請求項６のいずれか１項に記載の光アダプタ取付金具に於て、前記支持金具の支柱は、前記支持片の長さ寸法よりも幅狭な断面Ｌ字状に形成されていることを特徴としている。
【発明の効果】
【００１８】
請求項１に係る発明によれば、ネジ部材を中心に移動金具をスリットに沿って移動，回転させる簡単な操作で、光ファイバーケーブルのフォーミングを理想ルートで調整することができる。そして、ネジ部材が移動金具の中心に取り付いているため、フォーミング時に光ファイバーケーブルの一方が大きく偏って移動してしまうことがない。
【００１９】
そして、アーム片に設けたケーブル挿通スリットが、コネクタの根本部分の光ファイバーケーブルにストレスをかけずにこれらを保持するため、光ファイバーケーブルが実線の理想ルートより膨らんでしまうことがなく、光ファイバーケーブルの良好な伝送特性を確保することができる。
【００２０】
また、請求項２に係る発明は、移動金具の懸吊片に設けた係止爪によって移動金具を確実に支持金具に位置決め固定させることができる。
【００２１】
更に、請求項３に係る発明によれば、ネジ部材を支持片の板厚分だけ緩めて浮かせておけば、ネジ部材を移動金具からいちいち外さなくても、ネジ挿通孔から簡単に移動金具を支持金具に取り付けたり取り外すことができ、請求項４に係る発明によれば、スリットの端部側を平面視Ｌ字状に形成したことで、フォーミング時にネジ挿通孔から移動金具が不用意に外れてしまうことがない。
【００２２】
そして、請求項５に係る発明によれば、ケーブル挿通スリットのケーブル挿入部が斜め方向に設けられているため、フォーミング時に光ファイバーケーブルがケーブル挿通スリットから抜け出てしまうことがなく、ケーブル移動部は横方向に設けられているため、フォーミング時に移動金具を回転させても光ファイバーケーブルがケーブル支持片に引っ掛かって撓むことがないため、光ファイバーケーブルが実線の理想ルートより膨らんでしまうことがなく、光ファイバーケーブルの良好な伝送特性をより確実に確保することができる。
【００２３】
そして、請求項６に係る発明によれば、支持金具と移動金具を一枚の鋼材を所定形状に裁断，折曲して形成したので、構造が簡単で安いコストで光アダプタ取付金具を製造することができる。
【００２４】
而も、光アダプタ支持片の角部に切欠き孔を設けて、ネジ孔へのネジ部材の取り付けに支障を来すことがないようにしたので、ネジ孔を移動金具の中心に位置することができ、この結果、フォーミング時に光ファイバーケーブルの一方が大きく偏って移動してしまうことがない。
【００２５】
更に、請求項７に係る発明は、支柱は支持片の長さ寸法よりも幅狭に形成したので、ネジ部材を中心に移動金具を回転させる際に支柱が邪魔にならず、フォーミングが良好に行える。
【発明を実施するための最良の形態】
【００２６】
以下、本発明の実施形態を図面に基づいて詳細に説明する。
【００２７】
図１乃至図４は請求項１乃至請求項７に係る光アダプタ取付金具の一実施形態を示し、図１及び図２に於て、２３は図５の光アダプタ取付金具５に代えて通信機器１のケーシング３上に固定される支持金具、２５は該支持金具２３に回転可能且つ後述するスリット３５に沿って移動可能に懸吊，固定される移動金具で、該支持金具２３と移動金具２５によって本実施形態に係る光アダプタ取付金具２７が構成されている。
【００２８】
図２に示すように支持金具２３は、ケーシング３上にネジ止めされる短冊状の基台２９と、該基台２９の外側縁中央から上方へ断面Ｌ字状に立設された支柱３１と、該支柱３１の先端から基台２９に沿ってこれと同方向に延設された短冊状（平板状）の支持片３３とで構成されており、支持金具２３は一枚の鋼材を前記基台２９，支柱３１，支持片３３の形状に沿って裁断した後、これを折曲して一体的に形成されている。そして、支柱３１は支持片３３の長さ寸法よりも幅狭に形成されている。
【００２９】
更に、前記支持片３３にはその長手方向にスリット３５が設けられており、該スリット３５の両端側は、反支柱方向へ平面視Ｌ字状に形成されている。そして、スリット３５の両端に、夫々、後述するネジ（ネジ部材）３７の頭部３９よりも大径な円形状のネジ挿通孔４１が設けられており、該ネジ挿通孔４１は、ネジ３７の軸部４３に取り付くワッシャ４５よりも大径とされている。尚、スリット３５の幅はネジ３７の頭部３９よりも幅狭である。
【００３０】
一方、図２乃至図４に示すように移動金具２５も、一枚の鋼材４７を所定形状に裁断してこれを折曲して形成されている。
【００３１】
即ち、図中、４９は前記支持片３３と同一幅を以って平面視矩形状に形成された懸吊片で、その中央にネジ３７が螺着するネジ孔５１が設けられており、このネジ孔５１は移動金具２５の中心に位置している。
【００３２】
そして、前記支持片３３の長手方向に位置する懸吊片４９の一端側の角部に、前記ネジ３７の締め付けに伴い、前記支持片３３の裏面側に圧接，係止する係止爪５２が設けられている。
【００３３】
また、懸吊片４９の他端側は、該懸吊片４９との間に若干の間隙を空けて断面コ字状に折曲され、更に該懸吊片４９の中心線上を更に下方へ直角に折曲されて断面Ｌ字状の光アダプタ支持片５３が設けられており、下方へ直角に折曲したその一片５５に光アダプタ取付孔５７が設けられている。そして、斯様に下方へ直角に折曲して前記一片５５を設けた光アダプタ支持片５３の角部５９に、前記ネジ孔５７に対応して切欠き孔６１が設けられており、斯様に切欠き孔６１を設けることで、ネジ孔５７へのネジ３７の取り付けに支障を来すことがないようになっている。
【００３４】
また、図３及び図４に於て、６３は前記光アダプタ取付孔５７の左右に設けたネジ孔で、図５の光アダプタ取付金具５と同様、図２の如く光アダプタ取付孔５７に光アダプタ７が挿通し、該光アダプタ７の固定フランジ１９が前記ネジ孔６３にネジ止めされて、光アダプタ７が光アダプタ支持片５３（移動金具２５）に固定されている。
【００３５】
更に、図３に示すように光アダプタ支持片５３の底辺と一側に、前記スリット３５に沿って二方向に２枚のアーム片６５，６７が延設されており、一方のアーム片６５は前記懸吊片４９に対して直角に、そして、他方のアーム片６７は前記懸吊片４９と平行に配置されている。
【００３６】
そして、両アーム片６５，６７の先端側を夫々折曲して、前記光アダプタ支持片５３と対向するケーブル支持片６９，７１が設けられている。そして、両ケーブル支持片６９，７１に、夫々、ケーブル挿通スリット７３が形成されている。
【００３７】
図１乃至図３に示すようにケーブル挿通スリット７３は、ケーブル支持片６９，７１の上部から斜め方向に設けられたケーブル挿入部７５と、該ケーブル挿入部７５と連通して横方向に設けられたケーブル移動部７７とからなり、光アダプタ７に通信装置１側の光ファイバーケーブル９の光コネクタ１１と、外線側の光ファイバーケーブル７９のコネクタ８１を接続した際に、両光ファイバーケーブル９，７９を夫々ケーブル挿入部７５からケーブル移動部７７に案内することで、光ファイバーケーブル７，７９にストレスをかけずにこれらを保持できるようになっている。
【００３８】
尚、既述したように光アダプタ支持片５３への光アダプタ７の取付けは、光アダプタ取付孔５７に光アダプタ７を挿通させて、図示しないドライバーを用いてネジ８３をネジ孔６３に締め付けて光アダプタ７の固定フランジ１９を固定するが、アーム片６５側に位置するネジ孔６３へのネジ８３の締付作業をし易くするため、図３及び図４に示すようにケーブル支持片７１はアーム片６７に比し幅狭に形成されて、ドライバーが挿入し易くなっている。
【００３９】
本実施形態に係る光アダプタ取付金具２７はこのように構成されているから、光アダプタ取付金具２７を用いて光ファイバーケーブル７，７９をフォーミングするには、先ず、図５の光アダプタ取付金具５に代えて、図２に示すように通信機器１のケーシング３上に支持金具２３の基台２９をネジ８５で固定する。
【００４０】
一方、移動金具２５には、既述した手順で光アダプタ支持片５３に光アダプタ７を固定しておく。また、懸吊片４９のネジ孔５１にはネジ３７を螺着しておくが、ネジ３７は支持金具２３の支持片３３の板厚分以上浮かせておく。
【００４１】
そして、図２に示すように通信装置１側の光ファイバーケーブル９の光コネクタ１１と、外線側の光ファイバーケーブル７９のコネクタ８１を光アダプタ７に接続し、両光ファイバーケーブル９，７９を、夫々、ケーブル挿入部７５からケーブル移動部７７に案内して、光ファイバーケーブル７，７９をケーブル挿通スリット７３に保持させておく。そして、支持片３３のネジ挿通孔４１にネジ３７の頭部３９を挿通させて、スリット３５に沿って移動金具２５をスリット３５の中程まで移動し、以後、図１に示すように光ファイバーケーブル９，７９のフォーミングが理想ルートとなるようにネジ３７を中心に移動金具２５を矢印方向へ移動，回転させて、光ファイバーケーブル９，７９のフォーミングを調整すればよい。
【００４２】
而して、ケーブル挿通スリット７３のケーブル挿入部７５は斜め方向に設けられているため、フォーミング時に光ファイバーケーブル７，７９が抜け出てしまうことがなく、またケーブル移動部７７は横方向に設けられているため、移動金具２５を回転させても光ファイバーケーブル７，７９がケーブル支持片６９，７１に引っ掛かって撓むことがない。
【００４３】
そして、斯様にネジ３７を中心に移動金具２５を移動，回転させて理想ルートでフォーミングを調整した処でネジ３７を締め付ければ、移動金具２５の懸吊片４９に設けた係止爪５２が支持片３３の裏面側に圧接，係止して移動金具２５を確実に位置決め固定させる。そして、アーム片６５，６７のケーブル支持片６９，７１に設けたケーブル挿通スリット７３が、コネクタ１１，８１の根本部分の光ファイバーケーブル９，７９にストレスをかけずにこれらを保持することとなる。
【００４４】
また、支持金具２３から移動金具２５を取り外すには、ネジ３７を支持片３３の板厚分だけ緩めた後、移動金具２５をスリット３５に沿ってネジ挿通孔４１まで移動させて、該ネジ挿通孔４１からネジ３７の頭部３９を通せば、ネジ３７を移動金具２５からいちいち外さなくても移動金具２５を支持金具２３から取り外すことができる。
【００４５】
このように本願発明に係る光アダプタ取付金具２７によれば、ネジ３７を中心に移動金具２５を矢印方向へ移動，回転させる簡単な操作で、光ファイバーケーブル９，７９のフォーミングを理想ルートで調整することができ、そして、ケーブル挿通スリット７３のケーブル挿入部７５が斜め方向に設けられているため、フォーミング時に光ファイバーケーブル７，７９が該ケーブル挿通スリット７３から抜け出てしまうことがない。
【００４６】
而も、アーム片６５，６７に設けたケーブル挿通スリット７３が、コネクタ１１，８１の根本部分の光ファイバーケーブル９，７９にストレスをかけずにこれらを保持し、また、ケーブル移動部７７は横方向に設けられているため、フォーミング時に移動金具２５を回転させても光ファイバーケーブル７，７９がケーブル支持片６９，７１に引っ掛かって撓むことがないため、図７の従来例の如く光ファイバーケーブル９が実線の理想ルートより膨らんでしまうことがなくなり、光ファイバーケーブル９，７９の良好な伝送特性を確保することができる。
【００４７】
また、支持金具２３と移動金具２５は、一枚の鋼材を所定の形状に裁断，折曲して形成されているため、特許文献１の従来例に比し構造が簡単で、安いコストで光アダプタ取付金具２７を製造することができる。
【００４８】
更に、本実施形態は、移動金具２５の懸吊片４９に、ネジ３７の締め付けに伴い支持金具２３の支持片３３に圧接，係止する係止爪５２を設けたので、移動金具２５を確実に位置決め固定させることができる。
【００４９】
また、光アダプタ支持片５３の角部５９に切欠き孔６１を設けて、ネジ孔５７へのネジ３７の取り付けに支障を来すことがないようにしたので、ネジ孔５１を移動金具２５の中心に位置することができ、この結果、フォーミング時に光ファイバーケーブル７，７９の一方が大きく偏って移動してしまうことがない。
【００５０】
更にまた、本実施形態は、支持片３３のスリット３５の端部にネジ３７の頭部３９よりも大径な前記ネジ挿通孔４１を設けたので、ネジ３７を支持片３３の板厚分だけ緩めて浮かせておけば、ネジ３７を移動金具２５からいちいち外さなくても、前記ネジ挿通孔４１から簡単に移動金具２５を支持金具２３に取り付けたり取り外すことができる利点を有する。
【００５１】
而も、前記スリットの端部側は平面視Ｌ字状に形成されているため、フォーミング時にネジ挿通孔４１から移動金具２５が不用意に外れてしまうことがない。
【００５２】
そして、支柱３１は支持片３３の長さ寸法よりも幅狭に形成されているため、ネジ３７を中心に移動金具２５を回転させる際に支柱３１が邪魔にならず、フォーミングが良好に行える。
【図面の簡単な説明】
【００５３】
【図１】請求項１乃至請求項７の一実施形態に係る光アダプタ取付金具の全体斜視図である。
【図２】光アダプタ取付金具の分解斜視図である。
【図３】移動金具の全体斜視図である。
【図４】移動金具の展開図である。
【図５】従来の光アダプタ取付金具を用いて光ファイバーケーブルをフォーミングした通信機器の全体斜視図である。
【図６】従来の光ファイバーケーブルのフォーミングの説明図である。
【図７】従来の光ファイバーケーブルのフォーミングの説明図である。
【符号の説明】
【００５４】
１  通信装置
３  ケーシング
９  光ファイバーケーブル
１１，８１  光コネクタ
１９  固定フランジ
２３  支持金具
２５  移動金具
２７  光アダプタ取付金具
２９  基台
３１  支柱
３３  支持片
３５  スリット
３７，８３  ネジ（ネジ部材）
３９  頭部
４１  ネジ挿通孔
４９  懸吊片
５１，６３  ネジ孔
５２  係止爪
５３  光アダプタ支持片
５７  光アダプタ取付孔
５９  角部
６１  切欠き孔
６５，６７  アーム片
６９，７１  ケーブル支持片
７３  ケーブル挿通スリット
７５  ケーブル挿入部
７７  ケーブル移動部
【図１】
2009042368.tif 000003
【図２】
2009042368.tif 000004
【図３】
2009042368.tif 000005
【図４】
2009042368.tif 000006
【図５】
2009042368.tif 000007
【図６】
2009042368.tif 000008
【図７】
2009042368.tif 000009